(57)【要約】【課題】  データの効率的な変換処理を可能ならしめるとともに、システム全体としてのメンテナンス性を向上させることのできるデータベースサーバ及び情報システムを提供する。【解決手段】  データベースサーバ２は、基幹システム１に蓄積されたマスタデータを所定のタイミングで取得し、取得したマスタデータを構成する文字コードを、端末４にて読み取り可能な文字コードに変換し、変換した文字コードによって構成されるマスタデータをデータベースに格納する。そして、端末４又はウェブサーバ３からの要求に応じて、該当するデータをデータベースから読み出して端末４又はウェブサーバ３に送信する。【選択図】  図２
2006120100.tif 000002
【特許請求の範囲】
【請求項１】
通信ネットワークを介して、マスタデータを蓄積している基幹システムに接続されるとともに、端末に直接的又は間接的に接続されたデータベースサーバであって、
前記基幹システムから前記マスタデータを取得するマスタデータ取得手段と、
前記取得したマスタデータを構成する文字コードを、前記端末にて読み取り可能な文字コードに変換する文字コード変換手段と、
前記変換した文字コードによって構成されるマスタデータを格納する記憶手段と、
前記端末又は他のサーバからの要求に応じて、前記格納したマスタデータを前記記憶手段から読み出して前記端末又は前記他のサーバに送信する送信手段と
を備えたことを特徴とするデータベースサーバ。
【請求項２】
前記文字コード変換手段は、文字コード変換テーブルを参照することにより、前記文字コードの変換を行うことを特徴とする請求項１に記載のデータベースサーバ。
【請求項３】
前記データベースサーバの実行すべき処理手順のデータを格納する記憶手段をさらに備えており、
前記処理手順のデータは、処理手順を実行処理毎に記述したファイルから取得したデータであることを特徴とする請求項１又は２に記載のデータベースサーバ。
【請求項４】
請求項１〜３のいずれかに記載のデータベースサーバと、前記データベースサーバと通信ネットワークを介して接続された、マスタデータを蓄積している基幹システムとを備えた情報システムであって、
前記基幹システム又は前記データベースサーバは、前記データベースサーバが所定のタイミングで前記基幹システムから前記マスタデータを取得するようにする手段を備えたことを特徴とする情報システム。
【請求項５】
請求項１〜３のいずれかに記載のデータベースサーバと、前記データベースサーバと通信ネットワークを介して接続された、マスタデータを蓄積している基幹システム及び情報提供サーバとを備えた情報システムであって、
前記情報提供サーバは、
通信ネットワークを介して端末と接続されており、
前記端末からの要求に応じて、前記データベースサーバに対して所定のデータを要求する手段と、
前記データベースサーバから前記所定のデータを受信する受信手段と、
受信した前記所定のデータを、前記端末用に加工して前記端末に送信する送信手段と
を備えたことを特徴とする情報システム。
【発明の詳細な説明】
【技術分野】
【０００１】
本発明は、基幹システムに蓄積された情報を端末に取得させることのできる情報システム及び当該情報システムで使用することのできるデータベースサーバに関するものである。
【背景技術】
【０００２】
企業等が有する営業情報、企画情報、開発情報、経営情報等の企業情報は、データ化されて、マスタデータとして基幹システムに蓄積されていることが多い。ところで、企業等の営業担当者は、営業業務に関連して営業情報を参照したい場合があるが、通常、営業担当者の端末としては、既存システムとしての基幹システムを考慮することなく、汎用のものが用いられているため、基幹システムの仕様と営業担当者の端末の仕様とは一致しないことがある。この場合には、営業担当者の端末から基幹システムに直接アクセスすることができず、基幹システムに蓄積されているマスタデータを、営業担当者の端末からアクセス可能なデータベースサーバに送信する必要がある。
【０００３】
しかし、基幹システムに蓄積されているマスタデータをそのままデータベースサーバに送信したとしても、営業担当者の端末は当該マスタデータを読み取ることができないため、マスタデータを端末で読み取り可能なデータに変換しなくてはならない。
【０００４】
そのため、従来は、データ変換用のプログラム及びリンクテーブルを格納した別のコンピュータを使用し、バッチ処理により基幹システムのマスタデータを上記コンピュータに送信し、上記コンピュータでデータ変換を行って変換後のデータを上記データベースサーバに送信するようにしていた。
【発明の開示】
【発明が解決しようとする課題】
【０００５】
しかしながら、上記のようなデータ変換方法においては、基幹システム及びデータベースサーバ以外のコンピュータ（ハードウエア）と、そのためのプログラム及びリンクテーブル（ソフトウエア）を必要とするため、データの変換処理が効率的ではなく、また、基幹システムのシステム環境や実行処理の内容等が変更された場合などに、当該コンピュータにおけるハードウエア又はソフトウエアのメンテナンスに時間や労力が掛かるという問題があった。
【０００６】
本発明は、このような実状に鑑みてなされたものであり、データの効率的な変換処理を可能ならしめるとともに、システム全体としてのメンテナンス性を向上させることのできるデータベースサーバ及び情報システムを提供することを目的とする。
【課題を解決するための手段】
【０００７】
上記課題を解決するために、第１に本発明は、通信ネットワークを介して、マスタデータを蓄積している基幹システムに接続されるとともに、端末に直接的又は間接的に接続されたデータベースサーバであって、前記基幹システムから前記マスタデータを取得するマスタデータ取得手段と、前記取得したマスタデータを構成する文字コードを、前記端末にて読み取り可能な文字コードに変換する文字コード変換手段と、前記変換した文字コードによって構成されるマスタデータを格納する記憶手段と、前記端末又は他のサーバからの要求に応じて、前記格納したマスタデータを前記記憶手段から読み出して前記端末又は前記他のサーバに送信する送信手段とを備えたことを特徴とするデータベースサーバを提供する（請求項１）。
【０００８】
上記端末としては、例えば、インターネット等の通信ネットワークに接続されたパーソナルコンピュータや、携帯電話端末、ＰＨＳ（Personal Handy Phone System）端末等の移動電話端末、あるいは、ＰＤＡ（Personal Digital Assistant）等の携帯情報端末等が挙げられる。
【０００９】
上記発明（請求項１）によれば、文字コード変換手段がデータベースサーバに備えられており、データベースサーバ内でマスタデータの文字コードを変換できるため、マスタデータの変換を効率的に行うことができる。また、文字コードの変換処理に他のコンピュータとそのためのプログラム及びリンクテーブルを用いる必要がないため、情報システムに本データベースサーバを組み込むことにより、情報システム全体のメンテナンス性を向上させることができる。
【００１０】
上記発明（請求項１）において、前記文字コード変換手段は、文字コード変換テーブルを参照することにより、前記文字コードの変換を行うことが好ましい（請求項２）。
【００１１】
上記発明（請求項２）によれば、文字コードの変換が文字コード変換テーブルを参照することにより行われるため、マスタデータを構成する文字コードの変換を効率的に行うことができる。また、データベースサーバ、他のサーバ又は端末のシステム環境や実行処理の内容等が変更され、端末にて読み取り可能な文字コードに変更が生じた場合等であっても、文字コード変換テーブルを変更するだけで新たな文字コードに対応することができるため、文字コード変換手段のメンテナンス性を向上させることができる。
【００１２】
上記発明（請求項１，２）においては、前記データベースサーバの実行すべき処理手順のデータを格納する記憶手段をさらに備えており、前記処理手順のデータは、処理手順を実行処理毎に記述したファイルから取得したデータであることが好ましい（請求項３）。
【００１３】
上記発明（請求項３）によれば、データベースサーバのシステム環境や実行処理の内容等が変更され、データベースサーバの実行すべき処理手順に変更が生じた場合等であっても、上記ファイルの記述内容の修正又は上記ファイルの交換だけで、当該処理手順の変更に対応することができる。したがって、本データベースサーバ自体、メンテナンス性に優れたものとすることができる。
【００１４】
第２に本発明は、上記いずれかのデータベースサーバ（請求項１〜３）と、前記データベースサーバと通信ネットワークを介して接続された、マスタデータを蓄積している基幹システムとを備えた情報システムであって、前記基幹システム又は前記データベースサーバは、前記データベースサーバが所定のタイミングで前記基幹システムから前記マスタデータを取得するようにする手段を備えたことを特徴とする情報システムを提供する（請求項４）。
【００１５】
上記発明（請求項４）においては、前述した本発明のデータベースサーバを使用しているため、情報システム全体としてメンテナンス性に優れたものとなっている。また、上記発明（請求項４）によれば、データベースサーバは基幹システムからバッチ処理でマスタデータを取得し、予め文字コードを変換しておくことができるため、端末からのデータ参照要求に応じてリアルタイム処理で基幹システムからマスタデータを取得しデータベースサーバで逐次文字コード変換を行う方法と比較して、端末でデータを取得するまでの時間が短くてすみ、また基幹システムとデータベースサーバとの間のトランザクション量を少なくすることができるため、基幹システム及びデータベースサーバにかかる負担を軽減することができる。
【００１６】
第３に本発明は、上記いずれかのデータベースサーバ（請求項１〜３）と、前記データベースサーバと通信ネットワークを介して接続された、マスタデータを蓄積している基幹システム及び情報提供サーバとを備えた情報システムであって、前記情報提供サーバは、通信ネットワークを介して端末と接続されており、前記端末からの要求に応じて、前記データベースサーバに対して所定のデータを要求する手段と、前記データベースサーバから前記所定のデータを受信する受信手段と、受信した前記所定のデータを、前記端末用に加工して前記端末に送信する送信手段とを備えたことを特徴とする情報システムを提供する（請求項５）。
【００１７】
上記発明（請求項５）においては、前述した本発明のデータベースサーバを使用しているため、情報システム全体としてメンテナンス性に優れたものとなっている。また、端末が多数存在する場合に、各端末からデータベースサーバに直接アクセスすると、データベースサーバにかかる負担が大きくなってしまうが、上記発明（請求項５）によれば、端末とデータベースサーバとの間に情報提供サーバを介在させ、情報提供サーバに所定の処理（例えば、待ち行列処理等）を実行させることで、データベースサーバにかかる負担を軽減することができる。
【発明の効果】
【００１８】
本発明によれば、基幹システムに蓄積されたマスタデータを、効率的に端末用のデータに変換することができるとともに、情報システム全体としてのメンテナンス性を向上させることができる。
【発明を実施するための最良の形態】
【００１９】
以下、本発明の実施形態を図面に基づいて説明する。
図１は、本発明の実施形態に係る情報システムの構成図である。本実施形態においては、端末として、インターネットに接続可能なパーソナルコンピュータを例にとって説明するが、本発明はこれに限定されるものではない。
【００２０】
本実施形態に係る情報システムは、図１に示すように、基幹システム１と、基幹システム１に接続されたデータベースサーバ２と、データベースサーバ２に接続されたウェブサーバ３（本発明の情報提供サーバに該当）と、インターネットを介してウェブサーバ３に接続された（複数の）端末４とから構成されている。
【００２１】
基幹システム１は、企業等の保有するマスタデータ（例えば、ホール情報、顧客情報、製品情報、担当者情報等の営業情報）が蓄積されたサーバコンピュータであり、データベースサーバ２は、基幹システム１に蓄積された営業情報のマスタデータを受信して格納し、営業担当者の端末４にて営業情報のデータを参照できるようにするサーバコンピュータである。基幹システム１及びデータベースサーバ２の主要な構成を図２に示す。
【００２２】
図２に示すように、基幹システム１は、主制御部１１と、出力制御部１２と、入力制御部１３と、第１の記憶装置１４と、第２の記憶装置１５とを備えている。
【００２３】
主制御部１１は、ＣＰＵ及び主記憶装置（メモリ）等からなり、各部の制御、データの転送、種々の演算、データの一時的な格納等を行い、出力制御部１２は、基幹システム１の外部に出力するデータを制御し、入力制御部１３は、基幹システム１の外部から入力されるデータを制御する。
【００２４】
第１の記憶装置１４及び第２の記憶装置１５は、それぞれハードディスク等の記憶装置（又はその中の一部のディスク若しくは記憶領域）からなり、第１の記憶装置１４にはメインプログラム１４１が記憶されており、第２の記憶装置１５にはマスタデータベース１５１が構成されている。
【００２５】
メインプログラム１４１としては、例えば、データベースサーバ２からの要求に応じて、マスタデータベース１５１に格納されたマスタデータをデータベースサーバ２に送信するプログラム、マスタデータベース１５１に格納されたマスタデータに更新されたデータがあるか否か判別するプログラム等がある。
【００２６】
マスタデータベース１５１には、ホール情報、顧客情報、製品情報、担当者情報等の営業情報のマスタデータが格納されている。マスタデータベース１５１に格納されたマスタデータを構成する文字コードは、基幹システム１のマスタデータベース１５１用の文字コードであり、端末４にて読み取ることのできない文字コードである。
【００２７】
なお、本実施形態では、基幹システム１は一つのサーバコンピュータから構成したが、複数のサーバコンピュータから構成してもよい。
【００２８】
データベースサーバ２は、主制御部２１と、出力制御部２２と、入力制御部２３と、第１の記憶装置２４と、第２の記憶装置２５と、第３の記憶装置２６とを備えている。
【００２９】
主制御部２１は、ＣＰＵ及び主記憶装置（メモリ）等からなり、各部の制御、データの転送、種々の演算、データの一時的な格納等を行い、出力制御部２２は、データベースサーバ２の外部に出力するデータを制御し、入力制御部２３は、データベースサーバ２の外部から入力されるデータを制御する。
【００３０】
第１〜第３の記憶装置２４，２５，２６は、それぞれハードディスク等の記憶装置（又はその中の一部のディスク若しくは記憶領域）からなり、第１の記憶装置２４にはメインプログラム２４１が記憶されており、第２の記憶装置２５には営業支援データベース２５１が構成されており、第３の記憶装置２６にはデータ変換サービス（ＤＴＳ）用データベース２６１が構成されている。
ここで、データ変換サービス（ＤＴＳ）とは、データベース間でデータを移動又は複製するためのアプリケーションソフトのことをいう。
【００３１】
メインプログラム２４１としては、例えば、ウェブサーバ３からデータ送信要求信号を受信し、営業支援データベース２５１から送信要求データを抽出するプログラム、営業支援データベース２５１から抽出したデータをウェブサーバ３に送信するプログラム、ＤＴＳを実行させるプログラム等がある。
【００３２】
営業支援データベース２５１には、例えば、ホール情報、顧客情報、製品情報、担当者情報等の営業情報のマスタデータが格納される。営業支援データベース２５１に格納されるマスタデータを構成する文字コードは、端末４にて読み取り可能な文字コードである。
【００３３】
ＤＴＳ用データベース２６１には、例えば、基幹システム１に接続する処理手順のデータ、基幹システム１からマスタデータを取得する処理手順のデータ、所定のデータを構成する基幹システム１用の文字コードを端末４用の文字コードに変換する処理手順のデータ、営業支援データベース２５１にデータをインポートする処理手順のデータ、文字コードを変換するための文字コード変換テーブル等が格納されている。
【００３４】
ウェブサーバ３は、インターネットを介して端末４にＨＴＭＬ形式等の情報を送信するＷＷＷサーバである。このウェブサーバ３は、主制御部と、入力制御部と、出力制御部と、記憶部とを備えている。記憶部は、ハードディスク等の記憶装置（又はその中の一部のディスク若しくは記憶領域）からなり、当該記憶部には、メインプログラムの他、営業支援画面（所望の営業情報を参照するための初期画面）、参照画面（参照を要求した営業情報を表示する画面）等の画面データが記憶されている。メインプログラムとしては、端末４からの要求に応じて営業支援画面データを端末４に送信するプログラム、端末４からの要求に応じてデータベースサーバ２にデータ参照要求信号を送信するプログラム、データベースサーバ２から送信された参照要求データから参照画面を生成するプログラム、生成した参照画面データを端末４に送信するプログラム等がある。
【００３５】
端末４は、インターネットに接続可能な通常のパーソナルコンピュータであり、入力装置としてキーボード及びマウスを備えており、補助記憶装置としてのハードディスクにはウェブブラウザがインストールされている。
【００３６】
次に、本実施形態に係る情報システムにおける基幹システム１及びデータベースサーバ２の処理動作を、図３に示すフローチャートを参照して説明する。図３は、データベースサーバ２が基幹システム１からマスタデータを取得する処理動作の一例を示すフローチャートである。
【００３７】
ここで、データベースサーバ２のＤＴＳ用データベース２６１には、予め、前述した処理手順のデータ及び文字コード変換テーブル等を格納しておく。これらのデータ等の格納処理は、当該処理手順等が記述されたＸＭＬファイルを所定のプログラムにより解析して行うことができる。このＸＭＬファイル及び処理プログラムは、データベースサーバ２の記憶装置に格納されていてもよいし、他のサーバの記憶装置に格納されていてもよい。
【００３８】
最初に、図３に示すように、データベースサーバ２の主制御部２１は、出力制御部２２を介して、基幹システム１に対しマスタデータ要求信号を送信する（ＳＤ１０１）。基幹システム１の主制御部１１は、入力制御部１３を介してマスタデータ要求信号を受信し（ＳＭ１０１）、マスタデータベース１５１に蓄積されている営業情報のマスタデータを抽出した後（ＳＭ１０２）、出力制御部１２を介して、抽出したマスタデータをデータベースサーバ２に送信する（ＳＭ１０３）。
【００３９】
データベースサーバ２の主制御部２１は、基幹システム１から送信されたマスタデータを、入力制御部２３を介して受信し（ＳＤ１０２）、当該マスタデータを主制御部２１のメモリに一時的に記憶する（ＳＤ１０３）。そして、データベースサーバ２の主制御部２１は、ＤＴＳ用データベース２６１に格納された文字コード変換テーブルを参照して、ＤＴＳ用データベース２６１に格納された文字コード変換処理手順に従って、マスタデータを構成している基幹システム１用の文字コードを端末４にて読み取り可能な文字コードに変換する（ＳＤ１０４）。
【００４０】
データベースサーバ２の主制御部２１は、端末４にて読み取り可能な文字コードに変換されたマスタデータを、ホール情報、顧客情報、製品情報又は担当者情報に分類し、営業支援データベース２５１に格納する（ＳＤ１０５）。
【００４１】
このようにして、データベースサーバ２は、基幹システム１に蓄積されている初期のマスタデータを端末４用の文字コードで営業支援データベース２５１に格納する。データベースサーバ２の営業支援データベース２５１に初期のマスタデータが格納された後、データベースサーバ２が基幹システム１から更新されたマスタデータを取得する処理は、予め設定されたスケジュールに応じて自動的・定期的に実行される。例えば、データベースサーバ２の主制御部２１は、毎日午前０時を認識したら、基幹システム１にマスタデータ要求信号を送信する（ＳＤ１０６）。
【００４２】
基幹システム１の主制御部１１は、データベースサーバ２からマスタデータ要求信号を受信し（ＳＭ１０４）、前回マスタデータをデータベースサーバ２に送信した後に、マスタデータが更新されたかどうかを判別する（ＳＭ１０５）。その結果、マスタデータが更新されたと判断した場合、基幹システム１の主制御部１１は、更新されたマスタデータのみをマスタデータベース１５１から抽出し（ＳＭ１０６）、当該抽出したマスタデータをデータベースサーバ２に送信する（ＳＭ１０７）。一方、マスタデータが更新されなかったと判断した場合、基幹システム１の主制御部１１は、マスタデータの送信処理を行うことなく、次回処理まで待機する。
【００４３】
マスタデータが更新されていた場合に、基幹システム１の主制御部１１がデータベースサーバ２に更新されたマスタデータを送信すると、データベースサーバ２の主制御部２１は、更新されたマスタデータを受信する（ＳＤ１０７）。その後のデータベースサーバ２における処理は、前述したステップＳＤ１０３〜ＳＤ１０５に従って行われる。なお、更新されたマスタデータは、前回のマスタデータ上に上書きされるようにして営業支援データベース２５１に格納されるものとする。
【００４４】
以上の通り、上記データベースサーバ２によれば、基幹システム１に蓄積されたマスタデータの文字コードの変換を、他のコンピュータとそのためのプログラム及びリンクテーブルを用いることなく、効率的に実行することができる。
【００４５】
また、データベースサーバ２のシステム環境や実行処理の内容等が変更された場合には、データベースサーバ２が実行すべき処理手順の変更が必要になることがあるが、上記データベースサーバ２において、当該処理手順のデータはＸＭＬファイルから取得したものであるため、該当するＸＭＬファイルの記述内容を修正し又は該当するＸＭＬファイルを別のＸＭＬファイルに交換し、それらに記述された処理手順を再度解析してＤＴＳ用データベース２６１に格納すれば足りる。同様に、データベースサーバ２、ウェブサーバ３又は端末４のシステム環境や実行処理の内容等の変更に伴って、端末４にて読み取り可能な文字コードに変更が生じることがあるが、上記データベースサーバ２は文字コード変換テーブルを使用しているため、かかる場合であっても、文字コード変換テーブルを変更するだけで新たな文字コードに対応することができる。このように、上記データベースサーバ２は、それ自体メンテナンス性に優れたものとなっている。
【００４６】
続いて、本実施形態に係る情報システムにおけるデータベースサーバ２、ウェブサーバ３及び端末４の処理動作を、図４に示すフローチャートを参照して説明する。図４は、データベースサーバ２に格納されている営業情報のマスタデータを端末４で参照する処理動作の一例を示すフローチャートである。
【００４７】
最初に、図４に示すように、端末４は、所望の営業情報の種類（例えば、営業担当者が担当する地区にあるホール情報等）を入力するための営業支援画面のデータを要求する信号（営業支援画面データ要求信号）をウェブサーバ３に送信する（ＳＴ１０１）。ウェブサーバ３は、当該営業支援画面データ要求信号を受信し（ＳＷ１０１）、営業支援画面データを記憶部から読み出して端末４に送信する（ＳＷ１０２）。なお、営業支援画面データは、通常ＨＴＭＬ等のデータ形式で構成される。
【００４８】
端末４は、営業支援画面データを受信し（ＳＴ１０２）、端末４のモニタにウェブブラウザによって営業支援画面を表示する（ＳＴ１０３）。営業担当者によって、参照を要求する営業情報の種類がキーボード又はマウスから入力されたら（ＳＴ１０４）、端末４は、参照を要求する営業情報の種類のデータを含むデータ参照要求信号をウェブサーバ３に送信する（ＳＴ１０５）。
【００４９】
ウェブサーバ３は、端末４から送信されたデータ参照要求信号を受信し（ＳＷ１０３）、当該データ参照要求信号をデータベースサーバ２に送信する（ＳＷ１０４）。
【００５０】
データベースサーバ２の主制御部２１は、ウェブサーバ３から送信されたデータ参照要求信号を、入力制御部２３を介して受信し（ＳＤ２０１）、参照を要求する営業情報の種類のデータを主制御部２１のメモリに一時的に記憶し（ＳＤ２０２）、営業支援データベース２５１から該当するデータ（参照要求データ）を抽出する（ＳＤ２０３）。次いで、データベースサーバ２の主制御部２１は、営業支援データベース２５１から抽出した参照要求データを、出力制御部２２を介してウェブサーバ３に送信する（ＳＤ２０４）。
【００５１】
ウェブサーバ３は、データベースサーバ２が送信した参照要求データを受信し（ＳＷ１０５）、端末４から要求された営業情報を表示するための参照画面データを生成した後（ＳＷ１０６）、生成した参照画面データを端末４に送信する（ＳＷ１０７）。なお、参照画面データも、通常ＨＴＭＬ等のデータ形式で構成される。
【００５２】
端末４は、ウェブサーバ３から送信された参照画面データを受信し（ＳＴ１０６）、端末４のモニタにウェブブラウザによって参照画面を表示する（ＳＴ１０７）。このようにして、営業担当者は、自己の端末４にて所望の営業情報を参照することができる。
【００５３】
以上説明した本実施形態に係る情報システムは、上記データベースサーバ２を組み込むことにより、文字コード変換処理に他のコンピュータとそのためのプログラム等を用いる必要がないため、全体としてメンテナンス性に優れたものとなっている。
【００５４】
また、本実施形態では、データベースサーバ２は基幹システム１からバッチ処理でマスタデータを取得し、予め文字コードを変換しておくことができるため、端末４からのデータ参照要求に応じてリアルタイム処理で基幹システム１からマスタデータを取得しデータベースサーバ２で逐次文字コード変換を行う方法と比較して、端末４で所望の営業情報を取得するまでの時間が短くてすむ。そして、基幹システム１とデータベースサーバ２との間のトランザクション量を少なくすることができるため、基幹システム１及びデータベースサーバ２にかかる負担を軽減することができる。
【００５５】
さらに、本実施形態に係る情報システムは、端末４との間のデータの送受信処理を担っているウェブサーバ３を備えているため、端末４が多数存在する場合であっても、データベースサーバ２にかかる負担を軽減することができる。
【００５６】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００５７】
例えば、上記情報システムにおいて、営業支援画面や参照画面を生成・送信する機能をデータベースサーバ２に具備させれば、ウェブサーバ３は省略されてもよい。
【００５８】
また、データベースサーバ２が基幹システム１からマスタデータを取得する処理は、基幹システム１側からのプッシュ型の送信処理により行ってもよい。
【産業上の利用可能性】
【００５９】
本発明は、例えば、社内情報システム、特に基幹システムに蓄積された営業情報のデータを営業担当者の端末にて参照するための社内情報システム等に有用である。
【図面の簡単な説明】
【００６０】
【図１】本発明の一実施形態に係る情報システムの構成図である。
【図２】本発明の一実施形態に係るデータベースサーバ及び基幹システムの主要構成図である。
【図３】データベースサーバが基幹システムからマスタデータを取得する処理動作の一例を示すフローチャートである。
【図４】データベースサーバに格納されている営業情報のデータを端末で参照する処理動作の一例を示すフローチャートである。
【符号の説明】
【００６１】
１…基幹システム
１５１…マスタデータベース
２…データベースサーバ
２５１…営業支援データベース
２６１…ＤＴＳ用データベース
３…ウェブサーバ（情報提供サーバ）
４…端末
【図１】
2006120100.tif 000003
【図２】
2006120100.tif 000004
【図３】
2006120100.tif 000005
【図４】
2006120100.tif 000006